(57)【要約】床マットを車両カーペットに固定するための装置が提供され、この装置は、車両カーペットの下に位置する裏板と、床マットの上に位置する上板と、カーペットおよび床マットがそれらの間に挟み込まれるように、裏板および上板を共に取り外し可能に固定するように構成された留め具とを備えており、上板は、プロモーション印が付けられた上面を有している。
2006501101.tif 000002
【特許請求の範囲】
【請求項１】
床マットを車両カーペットに固定するための装置において、
車両カーペットの下に位置し、貫通して形成された開口を備える裏板と、
床マットの上に位置し、貫通して形成された開口を備える上板と、
前記カーペットおよび前記床マットのそれぞれの開口と、前記裏板の開口および前記上板の開口を貫通し、前記カーペットおよび前記床マットがそれらの間に挟み込まれるように、前記裏板および前記上板を共に取り外し可能に固定するように構成された留め具と、
を備えていることを特徴とする装置。
【請求項２】
前記上板は、プロモーション印が付けられた上面を備えていることを特徴とする請求項１に記載の装置。
【請求項３】
前記プロモーション印は、車両ロゴを含んでいることを特徴とする請求項２に記載の装置。
【請求項４】
前記裏板および前記上板は、ポリマー材料から構成されていることを特徴とする請求項１に記載の装置。
【請求項５】
前記留め具は、前記裏板または前記上板の１つと一体に形成されていることを特徴とする請求項１に記載の装置。
【請求項６】
車両用のカーペットシステムにおいて、
貫通して形成された開口を有するカーペットと、
前記カーペットに面接触する床マットであって、貫通して形成された開口を有し、前記カーペットの開口と前記床マットの開口が互いに連通するような床マットと、
前記床マットを前記カーペットに固定するための装置と
を備え、
前記装置は、
前記カーペットの下に位置し、貫通して形成された開口を備える裏板と、
前記床マットの上に位置し、貫通して形成された開口を備える上板と、
前記カーペットの開口、前記床マットの開口、および前記裏板の開口と前記上板の開口を貫通し、前記カーペットおよび前記床マットがそれらの間に挟み込まれるように、前記裏板および前記上板を共に取り外し可能に固定するように構成された留め具と、
を備えていることを特徴とするカーペットシステム。
【請求項７】
床マットを車両カーペットに固定するための装置において、
貫通して形成された開口を備える裏板と、
留め具であって、
前記裏板の開口と、カーペットおよび床マットのそれぞれの開口を貫通する下部と、
前記床マットの開口を貫通する上部であって、前記カーペットおよび前記床マットが前記上部と前記下部との間に挟み込まれるように、前記下部に取り外し可能に固定され、かつ前記床マットの上方に延在する自由端を備える上部と
を備える留め具と、
前記上部の自由端に取り外し可能に固定される上板と、
を備えていることを特徴とする装置。
【請求項８】
前記上板は、プロモーション印が付けられた上面を備えていることを特徴とする請求項７に記載の装置。
【請求項９】
前記プロモーション印は、車両ロゴを含んでいることを特徴とする請求項８に記載の装置。
【請求項１０】
前記裏板および前記上板は、ポリマー材料から構成されていることを特徴とする請求項７に記載の装置。
【請求項１１】
前記留め具の上部と下部は、互いにネジ係合されるように構成されていることを特徴とする請求項７に記載の装置。
【請求項１２】
車両用のカーペットシステムにおいて、
貫通して形成された開口を有するカーペットと、
前記カーペットに面接触する床マットであって、貫通して形成された開口を有し、前記カーペットの開口および前記床マットの開口が互いに連通するような床マットと、
前記床マットを前記カーペットに固定するための装置と
を備え、
前記装置は、
貫通して形成された開口を有する裏板と、
留め具であって、
前記裏板の開口、前記カーペットの開口、および前記床マットの開口を貫通する下部と、
前記床マットの開口を貫通する上部であって、前記カーペットおよび前記床マットが前記上部と前記下部との間に挟み込まれるように、前記下部に取り外し可能に固定され、かつ前記床マットの上方に延在する自由端を備える上部と
を備える留め具と、
前記上部の自由端に取り外し可能に固定される上板と、
を備えていることを特徴とするカーペットシステム。
【請求項１３】
床マットを車両カーペットに固定するための装置において、
貫通して形成された開口を備える裏板と、
拡大端と自由端を有する保持ポストであって、前記自由端が前記裏板の開口と、車両カーペットおよび床マットのそれぞれの開口を貫通するような保持ポストと、
上板であって、前記カーペットおよび前記床マットが前記上板と前記裏板との間に挟み込まれるように、前記保持ポストの前記自由端に取り外し可能に固定される上板と、
を備えていることを特徴とする装置。
【請求項１４】
前記上板は、プロモーション印が付けられた上面を備えていることを特徴とする請求項１３に記載の装置。
【請求項１５】
前記プロモーション印は、車両ロゴを含んでいることを特徴とする請求項１４に記載の装置。
【請求項１６】
前記上板および前記裏板は、ポリマー材料から構成されていることを特徴とする請求項１３に記載の装置。
【請求項１７】
前記保持ポストは、前記裏板と一体に形成されていることを特徴とする請求項１３に記載の装置。
【請求項１８】
車両用のカーペットシステムにおいて、
貫通して形成された開口を有するカーペットと、
前記カーペットに面接触する床マットであって、貫通して形成された開口を有し、前記カーペットの開口および前記床マットの開口が互いに連通するような床マットと、
前記床マットを前記カーペットに固定するための装置と
を備え、
前記装置は、
貫通して形成された開口を備える裏板と、
拡大端と自由端を有する保持ポストであって、前記自由端が前記裏板の開口と、前記カーペットの開口および前記床マットの開口を貫通するような保持ポストと、
上板であって、前記カーペットおよび前記床マットが前記上板と前記裏板との間に挟み込まれるように、前記保持ポストに取り外し可能に固定される上板と、
を備えていることを特徴とするカーペットシステム。
【請求項１９】
床マットを車両カーペットに固定するための装置において、
裏板であって、そこから延在する保持ポストを備え、前記保持ポストは自由端を備え、前記自由端が車両カーペットおよび床マットのそれぞれの開口を貫通するような裏板と、
上板であって、前記カーペットおよび前記床マットが前記上板と前記裏板との間に挟み込まれるように、前記保持ポストの前記自由端に取り外し可能に固定される上板と、
を備えていることを特徴とする装置。
【請求項２０】
前記保持ポストは、前記自由端と前記裏板との間にテーパ付き中間部を備え、前記テーパ付き中間部は半径方向に延在する肩部を備え、さらに前記裏板を前記カーペットに固定する押え板を備え、前記押え板は前記保持ポストの前記テーパ付き中間部の前記肩部と前記カーペットとの間に配置されていることを特徴とする請求項１９に記載の装置。
【請求項２１】
前記上板は、プロモーション印が付けられた上面を備えていることを特徴とする請求項１９に記載の装置。
【請求項２２】
前記プロモーション印は、車両ロゴを含んでいることを特徴とする請求項２１に記載の装置。
【請求項２３】
前記上板および前記裏板は、ポリマー材料から構成されていることを特徴とする請求項１９に記載の装置。
【請求項２４】
車両用のカーペットシステムにおいて、
貫通して形成された開口を有するカーペットと、
前記カーペットに面接触する床マットであって、貫通して形成された開口を有し、前記カーペットの開口および前記床マットの開口が互いに連通するような床マットと、
前記床マットを前記カーペットに固定するための装置と
を備え、
前記装置は、
裏板であって、そこから延在する保持ポストを備え、前記保持ポストは自由端を備え、前記自由端が前記カーペットの開口および前記床マットの開口を貫通するような裏板と、
上板であって、前記カーペットおよび前記床マットが前記上板と前記裏板との間に挟み込まれるように、前記保持ポストの前記自由端に取り外し可能に固定される上板と、
を備えていることを特徴とするカーペットシステム。
【請求項２５】
床マットを車両カーペットに固定するための装置において、
互いに対向する第１自由端部および第２自由端部と、前記第１自由端部および前記第２自由端部の間の中間部とを備える保持ポストであって、周方向に延在するスロットが前記保持ポスト内の前記第２端部に隣接する位置に形成され、前記中間部は半径方向に延在するフランジを備え、前記半径方向に延在するフランジが床マットおよび車両カーペットの間に配置されるように、前記カーペットおよび前記床マットのそれぞれの開口を貫通するように構成されるような保持ポストと、
前記カーペットの下に位置するように、前記スロット内に固定される保持クリップと、
上板であって、前記カーペットおよび前記床マットが前記上板および前記保持クリップとの間に挟み込まれるように、前記保持ポストの前記第１自由端部に取り外し可能に固定されるように構成された上板と、
を備えている装置。
【請求項２６】
前記上板は、プロモーション印が付けられた上面を備えていることを特徴とする請求項２５に記載の装置。
【請求項２７】
前記プロモーション印は、車両ロゴを含んでいることを特徴とする請求項２６に記載の装置。
【請求項２８】
前記上板および前記裏板は、ポリマー材料から構成されていることを特徴とする請求項２５に記載の装置。
【請求項２９】
車両用のカーペットシステムにおいて、
貫通して形成された開口を有するカーペットと、
前記カーペットと面接触する床マットであって、貫通して形成された開口を有し、前記カーペットの開口および前記床マットの開口が互いに連通するような床マットと、
前記床マットを前記カーペットに固定するための装置と
を備え、
前記装置は、
互いに対向する第１自由端部および第２自由端部と、前記第１自由端部および前記第２自由端部の間の中間部とを備える保持ポストであって、周方向に延在するスロットが前記保持ポスト内の前記第２端部に隣接する位置に形成され、前記中間部は半径方向に延在するフランジを備え、前記半径方向に延在するフランジが前記床マットおよび前記カーペットの間に配置されるように、前記車両カーペットの開口および前記床マットの開口を貫通するように構成されるような保持ポストと、
前記カーペットの下に位置するように、前記スロット内に固定される保持クリップと、
上板であって、前記カーペットおよび前記床マットが前記上板および前記保持クリップの間に挟み込まれるように、前記保持ポストの前記第１自由端部に取り外し可能に固定されるように構成された上板と、
を備えているカーペットシステム。
【発明の詳細な説明】
【技術分野】
【０００１】
本発明は、一般的には車両に関し、さらに詳細には、車両の床マットに関する。
【背景技術】
【０００２】
車両内のカーペットを清潔に保ち、その磨耗や裂傷を少なくするために、その車両カーペットの上に床マットを配置することが望ましいことが多い。しかし、残念なことに、床マットは乗員の出入りによってねじれを受けることがあり、それによって、乗員が滑る可能性がある。このような滑りによって、車両に出入りする乗員が負傷することがある。さらに、車両の適切な作動を阻むアクセル、ブレーキ、またはクラッチペダルによって、床マットが車両カーペットの上を滑って絡まることがあり、これによって、厄介な、場合によっては、危険な状態が生じることがある。
【０００３】
床マット上での滑りを防止するために、床マットを車両カーペットに固定する種々の方法が知られている。例えば、アルタス（Altus）らに付与された米国特許は、上面と、下面と、上面から上方を向く複数の雄留め具と、下面から下方を向く棘とを有する床マット・リテーナを記載している。リテーナの下面は車両カーペットの上に配置され、複数の開口を有する床マットは、それらの開口が雄留め具に適合されるように、リテーナの上面の上に配置されている。雌留め具が、床マットをリテーナに固定するために、雄留め具の上に配置されている。この雄留め具はリテーナと一体に形成されている。
【０００４】
ウオン（Wong) に付与された米国特許第５，００３，６６４号明細書は、マットをカーペットに固定するためのクリップを記載している。このクリップは、主部と、その主部から延在するスパイクを有している。スパイクは、それがカーペットの下に位置し、主部がカーペットの上に露出されるように、カーペット内に挿入されている。フック／ループ式の留め具を用いて、マットを主部に固定する手段が設けられる。フック部は主部の上に設けられ、ループ部はマットの下向きの面に設けられている。
【０００５】
コールドウエル（Caldwell) らに付与された米国特許第４,４０３,８９５号明細書は、車両の床に設置された厚みのある裏側のカーペットに固定されるように構成された床マット・リテーナを記載している。車両用床マットは、リテーナの一部を床マットの開口内に挿入させることによって、リテーナに取り外し可能に固定されている。
【発明の開示】
【０００６】
前述の検討を考慮して、床マットを車両カーペットに固定する装置が提供されている。本発明の実施形態によれば、床マットを車両カーペットに固定するための装置は、車両カーペットの下に位置する裏板と、床マットの上に位置する上板と、カーペットおよび床マットがそれらの間に挟み込まれるように、裏板および上板を共に取り外し可能に固定するように構成された留め具とを備えている。上板はプロモーション印（例えば、車両ロゴやスポーツチームロゴなど）が付けられた上面を有している。各留め具は、互いにネジ係合されるように構成された上部と下部とを備えている。
【０００７】
本発明の実施形態によれば、床マットを車両カーペットに固定するための装置は、貫通して形成された開口を有する裏板と、留め具と、上板とを備えている。留め具は、裏板の開口およびカーペットと床マットのそれぞれの開口を貫通する下部と、床マットの開口を貫通する上部とを備えている。カーペットおよび床マットが留め具の上部と下部との間に挟み込まれるように、留め具の上部は留め具の下部に取り外し可能に固定されている。留め具の上部は床マットの上方に延在する自由端を有し、この自由端は周方向に延在する隆起を備えている。上板は上部の自由端に取り外し可能に固定されている。上板は雌アダプターを有し、この雌アダプターは、隆起と係合し、上板を留め具に取り外し可能に固定するように構成されている。上板は、床マットおよび車両カーペットを共に挟み込むのを容易にするために、圧縮力を床マットに加えるように構成されていてもよい。上板はプロモーション印が付けられた上面を有している。
【０００８】
本発明の実施形態によれば、床マットを車両カーペットに固定するための装置は、貫通して形成された開口を有する裏板と、拡大端および自由端を有する保持ポストと、カーペットおよび床マットが上板および下板の間に挟み込まれるように、保持ポストの自由端に取り外し可能に固定される上板とを備えている。保持ポストの自由端は、裏板の開口および車両カーペットと床マットのそれぞれの開口を貫通している。上板は雌アダプターを有し、この雌アダプターは、保持ポストの自由端にすべり嵌合され、上板を保持ポストに取り外し可能に固定するように構成されている。雌アダプターは、その壁に形成された周方向に延在する溝を有する円筒チャンバを備えている。保持ポストは、自由端に隣接する位置に周方向に延在する隆起を備えている。隆起の直径は、円筒チャンバの直径よりもわずかに大きい。雌アダプターは、わずかに拡がり、隆起を円筒チャンバ内に移動させて溝と係合させ、その結果として、保持ポストと上板との間に解除可能なすべり嵌合が得られるように構成されている。上板は、床マットおよび車両カーペットを共に固定するのを容易にするために、圧縮力を床マットに加えるように構成されていてもよい。上板は、プロモーション印が付けられた上面を有している。
【０００９】
本発明の実施形態によれば、床マットを車両カーペットに固定するための装置は、裏板であって、そこから延在する保持ポストを有する裏板と、上板であって、カーペットおよび床マットが上板および下板の間に挟み込まれるように、保持ポストに取り外し可能に固定されるように構成された上板とを備えている。保持ポストは周方向に延在する隆起を有する自由端を備えている。自由端は、車両カーペットおよび床マットのそれぞれの開口を貫通している。上板は雌アダプターを有し、この雌アダプターは、隆起と係合し、上板を保持ポストに取り外し可能に固定するように構成されている。上板は、床マットおよび車両カーペットを共に挟み込むのを容易にするために、圧縮力を床マットに加えるように構成されていてもよい。保持ポストは、自由端と裏板との間にテーパ付き中間部も備えている。テーパ付き中間部は、半径方向に延在する肩部を有している。押え板を用いて、すなわち、その押え板を保持ポストのテーパ付き部分の肩部とカーペットとの間に配置することによって、裏板をカーペットに固定している。上板は、プロモーション印が付けられた上面を有している。
【００１０】
本発明の実施形態によれば、床マットを車両カーペットに固定するための装置は、保持ポストと、カーペットの下に位置するように構成された保持クリップと、上板であって、カーペットおよび床マットが上板と保持クリップとの間に挟み込まれるように、保持ポストに取り外し可能に固定されるように構成された上板とを備えている。保持ポストは、互いに対向する第１端部および第２端部と、第１端部および第２端部の間の中間部とを備えている。周方向に延在するスロットが保持ポスト内の第２端部に隣接する位置に形成され、保持ポストの中間部は半径方向に延在するフランジを備えている。保持ポストは、半径方向に延在するフランジが床マットと車両カーペットとの間に配置されるように、カーペットおよび床マットのそれぞれの開口を貫通するように構成されている。保持クリップは、カーペットの下に位置するように、スロット内に固定されている。保持ポストの第１端部は、周方向に延在する隆起を備えている。この第１端部は、車両カーペットおよび床マットのそれぞれの開口を貫通している。上板は雌アダプターを有し、この雌アダプターは、隆起と係合し、上板を保持ポストの第１端に取り外し可能に固定するように構成されている。
【００１１】
明細書の一部をなす添付の図面は、本発明の重要な実施形態を示している。これらの図面と説明とによって、本発明を十分に明らかにする。
【発明を実施するための最良の形態】
【００１２】
以下、本発明の好ましい実施形態が示されている添付の図面を参照し、本発明をさらに十分に説明する。しかし、本発明は多くの異なる形態で実施されてもよく、ここに述べる実施形態に限定されると解釈されるべきでない。むしろ、これらの実施形態は、この開示内容が綿密かつ完全であって、本発明の範囲を当業者に十分知らしめるように、なされている。
【００１３】
図面において、線、層、および領域の厚みは、明確にするために、誇張されていることもある。ある要素が他の要素の「上」にあると記述された場合、その要素は他の要素の上に直接的に存在し得るか、または介在する要素が存在してもよい、と理解されるべきである。対照的に、ある要素が他の要素の「上に直接的に」存在すると記述された場合、介在する要素は存在しない。また、ある要素が他の要素に「接続される」または「取り付けられる」と記述された場合、その要素は他の要素に直接的に接続され得るかまたは取り付けられ得るか、または介在する要素が存在してもよい、と理解されるべきである。対照的に、ある要素が他の要素に「直接的に接続される」または「直接的に取り付けられる」と記述された場合、介在する要素は存在しない。「上方」、「下方」、「垂直」、「水平」などの用語は、ここでは、説明の目的にのみ用いられているにすぎない。
【００１４】
図１Ａ〜図１Ｂを参照すると、本発明の実施形態による、床マットを車両カーペットに面接触させて固定するための装置１０が示されている。例示された装置１０は、車両カーペット１４の下に位置する裏板１２と、床マット１８の上に位置する上板１６と、カーペット１４および床マット１８がそれらの間に挟み込まれるように、裏板１２および上板１６を共に取り外し可能に固定するように構成された留め具２０とを備えている。
【００１５】
例示された裏板１２および上板１６は、細長の略矩形の形態を有している。しかし、本発明の実施形態は、例示された形態に制限されない。裏板１２および上板１６は、制限されることなく、どのような形状、寸法、および形態を有していてもよい。例示された裏板１２および上板１６の各組は、そこを貫通して形成された１対の開口１３，１７を有している。これらの開口１３，１７は、互いに一直線に並び、かつ車両カーペット１４および床マット１９のそれぞれの開口１５，１９も一直線に並んでおり、その結果、留め具２０はそれらの開口を通って挿入することが可能となっている。
【００１６】
本発明の実施形態は、裏板１２および上板１６の開口の数に制限されず、また裏板１２および上板１６を共に取り外し可能に固定するのに用いられる例示された留め具２０にも制限されない。単一の留め具２０と、対応する裏板１２および上板１６の単一の開口１３，１７とが用いられてもよい。さらに、２つ以上の留め具、従って、裏板１２および上板１６の２つ以上の開口を必要とする留め具が用いられてもよい。
【００１７】
例示された実施形態において、上板１６はプロモーション印２２が付けられた上面１６ａを有している。プロモーション印２２がどのようなものであるかについて、制限はない。例えば、プロモーション印２２は車両ロゴや好みのスポーツチームなどであってもよい。さらに、裏板１２および上板１６は、制限はされないが、ポリマー材料、金属、または木材などを含む種々の材料から形成されていてもよい。
【００１８】
例示された実施形態において、各留め具２０は、互いにネジ係合される上部２０ａと下部２０ｂとを備えている。しかし、本発明の実施形態は、例示された留め具２０に制限されない。種々の型式の留め具が用いられてもよい。さらに、本発明の他の実施形態によれば、各留め具２０の一部は、裏板１２または上板１６のいずれかと一体であってもよい。
【００１９】
図１Ａ〜図１Ｂにおいて、３０は、前述の装置１０と、そこに挟み込まれる車両カーペット１４および床マット１８とを備えるカーペットシステムを示している。
【００２０】
図２Ａ〜図２Ｂおよび図３Ａ〜図３Ｂは、それぞれ、床マットを車両カーペットに固定するための装置の付加的な実施形態を示している。図２Ａを参照するに、本発明の実施形態による、床マットを車両カーペットに面接触させて固定するための装置１１０が示されている。例示された装置１１０は、貫通して形成された開口１１３を有する裏板１１２と、留め具１２０と、上板１１６とを備えている。単一の留め具と、対応する裏板１１２の単一の開口１１３しか例示されていないが、本発明の実施形態は、多数の留め具１２０と、対応する裏板１１２の開口とを用いてもよいことが分かる。
【００２１】
例示された留め具１２０は、裏板の開口１１３と、カーペット１４および床マット１８のそれぞれの開口１５，１９とを貫通する下部１２０ｂと、床マットの開口１９を貫通する上部１２０ａとを備えている。留め具の上部１２０ａは、カーペット１４および床マット１８が上部１２０ａと下部１２０ｂとの間に挟み込まれるように、留め具の下部１２０ｂに取り外し可能に固定されている。例示された実施形態において、留め具の上部１２０ａと下部１２０ｂは、互いにネジ係合されるように構成されている。しかし、留め具の上部１２０ａと下部１２０ｂとを取り外し可能に固定するための他の手段が、制限されることなく、用いられてもよい。さらに、本発明の他の実施形態によれば、留め具の下部１２０ｂは、裏板１２と一体に形成されていてもよい。
【００２２】
例示された実施形態において、留め具の上部１２０ａは床マット１８の上方に延在する自由端１２１を有し、この自由端１２１は周方向に延在する隆起１２２を備えている。上板１１６は、上部の自由端１２１に取り外し可能に固定されている。上板１１６は、雌アダプター１２３を有し、この雌アダプター１２３は、隆起１２２と係合し、上板１１６を留め具１２０に取り外し可能に固定するように構成されている。上板１１６は、床マット１８および車両カーペット１４を共に挟み込むのを容易にするために、圧縮力を床マット１８に加えるように構成されていてもよい。上板１１６を留め具の自由端１２１に取り外し可能に固定するために、当業者に知られている種々の構成が利用されてもよい。本発明の実施形態は、例示された留め具の自由端の構成または上板の雌アダプターの構成に制限されない。
【００２３】
例示された実施形態において、上板１１６はプロモーション印２２が付けられた上面１１６ａを有している。このプロモーション印がどのようなものであるかについて、制限はない。例えば、プロモーション印２２は車両ロゴや好みのスポールチームなどであってもよい。さらに、裏板１１２および上板１１６は、制限はされないが、ポリマー材料、金属、または木材などを含む種々の材料から形成されていてもよい。
【００２４】
図２Ａにおいて、１３０は、前述の装置１１０と、そこに挟み込まれる車両カーペット１４および床マット１８とを備えるカーペットシステムを示している。
【００２５】
図２Ｂを参照するに、本発明の実施形態による、床マットを車両カーペットに面接触させて固定するための装置２１０が示されている。例示された装置２１０は、貫通して形成された開口２１３を有する裏板２１２と、拡大端２２１および自由端２２２を有する保持ポスト２２０と、上板２１６を備えている。上板２１６は、カーペット１４および床マット１８が上板２１６と裏板２１２との間に挟み込まれるように、保持ポストの自由端２２２に取り外し可能に固定されている。保持ポストの自由端２２２は、裏板の開口２１３おと、車両カーペット１４および床マット１８のそれぞれの開口１５，１９とを貫通している。
【００２６】
上板２１６は雌アダプター２２３を有し、この雌アダプター２２３は、保持ポストの自由端２２２とすべり嵌合し、上板２１６を保持ポスト２２０に取り外し可能に固定するように構成されている。雌アダプター２２３は円筒チャンバ２２４を備え、この円筒チャンバ２２４は、その壁２２６に形成された周方向に延在する溝２２５を有している。保持ポスト２２０は、自由端２２２に隣接する位置に、周方向に延在する隆起２２７を備えている。隆起２２７の直径は、円筒チャンバ２２４の直径よりもわずかに大きい。雌アダプター２２３は、わずかに拡がり、隆起２２７を円筒チャンバ２２４内に移動させて溝２２５と係合させ、その結果、保持ポスト２２０と上板２１６との間に、解除可能なすべり嵌合が得られるように構成されている。しかし、上板２１６を保持ポストの自由端２２２に取り外し可能に固定するために、当業者に知られている種々の構成が用いられてもよい。本発明の実施形態は、例示された保持ポストの構成または上板の雌アダプターの構成に制限されない。
【００２７】
上板２１６は、床マット１８および車両カーペット１４を共に挟み込むのを容易にするために、圧縮力を床マット１８に加えるように構成されていてもよい。例示された実施形態において、上板１１６はプロモーション印２２が付けられた上面１１６ａを有している。このプロモーション印がどのようなものであるかについて、制限はない。例えば、プロモーション印２２は車両ロゴや好みのスポーツチームなどであってもよい。さらに、裏板１１２および上板１１６は、制限はされないが、ポリマー材料、金属、または木材などを含む種々の材料から形成されていてもよい。
【００２８】
図２Ｂにおいて、２３０は、前述の装置２１０と、そこに挟み込まれた車両カーペット１４および床マット１８とを備えるカーペットシステムを示している。
【００２９】
図３Ａを参照すると、本発明の実施形態による床マットを車両カーペットに面接触させて固定するための装置３１０が示されている。例示された装置３１０は、裏板３１２と上板３１６を備え、裏板３１２はそこから延在する保持ポスト３２０を有している。上板３１６は、カーペット１４および床マット１８が上板３１６と裏板３１２との間に挟み込まれるように、保持ポスト３２０に取り外し可能に固定されている。例示された保持ポスト３２０は、周方向に延在する隆起３２２を有する自由端３２１を備えている。自由端３２１は、車両カーペット１４および床マット１８のそれぞれの開口１５，１９を貫通している。上板３１６は雌アダプター３２３を有し、この雌アダプター３２３は、隆起３２２と係合し、上板３１６を保持ポスト３２０に取り外し可能に固定するように構成されている。上板３１６は、床マット１８を車両カーペット１４と共に挟み込むのを容易にするために、圧縮力を床マット１８に加えるように構成されていてもよい。上板３１６を留め具の自由端３２１に取り外し可能に固定するために、当業者に知られている種々の構成が用いられてもよい。本発明の実施形態は、例示された留め具の自由端または上板の雌アダプターの構成に制限されない。
【００３０】
例示された保持ポスト３２０は、自由端３２１と裏板３１２との間にテーパ付き中間部３２６も備えている。このテーパ付き中間部３２６は、図示されるように、半径方向に延在する肩部３２７を有している。押え板３２８（例えば、ワッシャーなど）を用いて、すなわち、それを保持ポストのテーパ付き部分の肩部３２７とカーペット１４との間に配置させることによって、裏板３１２をカーペット１４に固定している。この構成では、押え板３２８が圧縮力をカーペット１４に加えるように、設計されていてもよい。
【００３１】
例示された実施形態において、上板３１６はプロモーション印２２が付けられた上面３１６ａを有している。プロモーション印がどのようであるかについて、制限はない。例えば、プロモーション印２２は車両ロゴや好みのスポーツチームなどであってもよい。さらに、裏板３１２および上板３１６は、制限はされないが、ポリマー材料、金属、または木材などを含む種々の材料によって形成されていてもよい。
【００３２】
図３Ａにおいて、３３０は、上記の装置３１０と、そこに挟み込まれる車両カーペット１４および床マット１８とを備えるカーペットシステムを示している。
【００３３】
図３Ｂを参照するに、本発明の実施形態による床マットを車両カーペットに面接触させて固定するための装置４１０が示されている。例示された装置４１０は、保持ポスト４２０と、カーペット１４の下に位置するように構成されたクリップ４３０と、上板４１６とを備えている。上板４１６は、カーペット１４および床マット１８が上板４１６と保持クリップ４４０との間に挟み込まれるように、保持ポストに取り外し可能に固定されている。
【００３４】
例示された保持ポスト４２０は、第１自由端部４２１および第２自由端部４３１と、第１自由端部４２１および第２自由端部４３１の間の中間部４２５とを備えている。周方向に延在するするスロット４２４が保持ポスト内の第２端部に隣接する位置に形成され、保持ポストの中間部４２５は半径方向に延在するフランジ４２６を備えている。この保持ポスト４２０は、半径方向に延在するフランジ４２６が床マット１８とカーペット１４との間に配置されるように、車両カーペット１４および床マット１８のそれぞれの開口１５，１９を貫通している。保持クリップ４４０は、カーペット１４の下に位置するように、スロット４２４内に固定されている。
【００３５】
例示された保持ポストの第１端部４２１は、周方向に延在する隆起４２２を備えている。第１端部４２１は、車両カーペット１４および床マット１８のそれぞれの開口１５，１９を貫通している。上板４１６は雌アダプター４２３を有し、この雌アダプター４２３は、隆起４２２と係合し、上板４１６を保持ポストの第１端４２１に取り外し可能に固定するように構成されている。上板４１６は、床マット１８および車両カーペット１４を共に挟み込むのを容易にするために、圧縮力を床マット１８に加えるように構成されていてもよい。上板４１６を保持ポストの第１端部４２１に取り外し可能に固定するのに、当業者に知られている種々の構成が用いられてもよい。本発明の実施形態は、例示された保持ポストの第１および第２端部の構成または上板の雌アダプターの構成に制限されない。
【００３６】
図３Ｂにおいて、４３０は、前述の装置４１０と、そこに挟み込まれた車両カーペット１４および床マット１８とを備えるカーペットシステムを示している。
【００３７】
以上は、本発明の例示であり、本発明を制限すると解釈されるべきではない。本発明のいくつかの例示的実施形態について説明したが、当業者であれば、本発明の新規の示唆と利点から実質的に逸脱することなく、多くの修正形態が可能であることが、容易に理解されるだろう。従って、そのような変形形態はすべて、請求項に定義される本発明の範囲内に包含されることが意図されている。本発明は、以下の請求項によって定義され、請求項の等価物もそこに包含されている。
【図面の簡単な説明】
【００３８】
【図１Ａ】本発明の実施形態による床マットを車両カーペットに固定するための装置を示す平面図である。
【図１Ｂ】１Ｂ−１Ｂ線に沿った図１Ａの装置の断面図である。
【図２Ａ】本発明の他の実施形態による床マットを車両カーペットに固定するための装置を示す部分断面図である。
【図２Ｂ】本発明の他の実施形態による床マットを車両カーペットに固定するための装置を示す部分断面図である。
【図３Ａ】本発明の他の実施形態による床マットを車両カーペットに固定するための装置を示す部分断面図である。
【図３Ｂ】本発明の他の実施形態による床マットを車両カーペットに固定するための装置を示す部分断面図である。
2006501101.tif 000003
2006501101.tif 000004
2006501101.tif 000005
【国際調査報告】
2006501101.tif 000006